(57)【要約】      （修正有）【課題】竹や木製の耳かき具において、柄で外圧を和らげるダンパー機能や、竹材、または、木材の風合や従来の耳かき具と同じ様な機能、そして、使用感を備えると共に、従来より扱いやすく、便利なデザイン性に優れた耳かき具を提供する。【解決手段】耳穴を掃除する耳かき具において、耳かき具は、竹材または、木材を素材とし、掻き部２と首部３と弾性部４と柄部５ａが連続して連なり形成する耳掻き部を備え、弾性部４、または、首部３を板状とし、板厚を２．２ｍｍ以下、弾性部の長さを５０ｍｍ以上とした。また、首部３を略五角形とし、被覆材Ｈで被覆、収納ケースに出し入れできるようにする。さらには、竹や木材の素材に含浸剤を含浸する。  【選択図】図２
0003179870.tif 000002
【実用新案登録請求の範囲】
【請求項１】
耳穴を掃除する耳かき具において、
前記耳かき具は、竹材または、木材を素材とし、掻き部と首部と弾性部と柄部が連続して連なり形成しする耳掻き部を備え、
前記耳掻き部の前記弾性部を板状とした
ことを特徴とする耳かき具。
【請求項２】
請求項１に記載の耳かき具であって
前記首部断面形状、または、前記弾性部の断面形状を略五角形とした
ことを特徴とする耳かき具。
【請求項３】
請求項１に記載の耳かき具であって
前記首部、または、前記弾性部の板厚を２．２ｍｍ以下とした
ことを特徴とする耳かき具。
【請求項４】
請求項１から３のいずれかに記載の耳かき具であって
前期掻き部と前記首部を含んだ前記弾性部の長さを、５０ｍｍ以上とした
ことを特徴とする耳かき具。
【請求項５】
請求項１から４のいずれかに記載の耳かき具であって
柄部表面に被覆材を被覆し、被覆部を形成した
ことを特徴とする耳かき具。
【請求項６】
請求項１から３のいずれかに記載の耳かき具であって
前記耳掻き部を支持台に取り付け、支持台と耳掻き部を筒状の収納ケースに収納し、
少なくとも、前記掻き部を収納ケースの一端から出没可能とした
ことを特徴とする耳かき具。
【請求項７】
請求項１から６のいずれかに記載の耳かき具であって
前記耳掻き部の素材に、含浸剤を含浸した
ことを特徴とする耳かき具。
【考案の詳細な説明】
【技術分野】
【０００１】
本考案は、竹や木製の耳かき具に関する。
【背景技術】
【０００２】
現在、耳の外耳を掃除するものとして、綿棒や耳かき具が使用されている。
【０００３】
耳かき具は、耳垢を取る用具として、細い棒状の柄の先端に匙状の部分を備えた竹製や金属製の耳かき具が使用されて来たが、近年、掻きすぎによる外耳道の傷つけ防止対策を考慮などの理由からシリコンゴムを利用したものや、ワイヤをループ状に重ねたもの、ワイヤをコイル状にした耳かき具などがある。しかし、そのような中でも竹製の耳かき具は現在も需要が根強い。竹製の耳かき具は、竹の抗菌性、殺菌性、脱臭性などの作用や、特に柄に竹の弾力を利用（外圧を和らげるダンパー機能）した利点がある。しかし、弾性を有効に利用しようとして軸を細くしたものがあるが竹の筋や木目などにより折れやすく、ひび割れなどを起こしやすかった。また、柄が持ちにくく、その上、デザイン性にも欠けていた。
特許文献１に、ストレート軸の両端近傍にそれぞれ複数本の環状溝を所定間隔毎に配設したものが開示されている。
特許文献２には、柄部に連続して一体に形成されるとともに、柄部よりも小径の棒状部を有し、前記柄部とは反対側の前記棒状部に耳掻き部が一体に設けられた耳かき具において、前記柄部に装飾体を設けた構成した耳かき具が開示されている。
特許文献３には、四角柱状の先端にブラシを設けたものが開示されている。
特許文献１では、ストレート軸であり、持ちにくい。特許文献２では、持ち易さよりも装飾性を優先していると共に、装飾部を竹としているもので、軸や柄を従来の竹などの軸が外圧を和らげる為のダンパー機能を果たしているわけでは無い。特許文献３においてはブラシ状であるとともに、ダンパー機能を果たすものではない。
また、従来の耳かき具において、軸断面を半丸状にしているものがあるが板状にしているものはなく、軸部に細い糸を巻いたものや軸部に色を付けたものがあるが、太く持ちやすくする、滑りにくくするなど持ち易さを向上したものでは無く、色を付けて視認性を高める目的が主であった。一方では、高齢化が進む現代において、お年寄りにとって軸の細い耳かき具は持ちにくく不便である。
【先行技術文献】
【特許文献】
【０００４】
【特許文献１】登録実用新案第３１４１１４９号
【特許文献２】公開特許公報２００４−１３６０１４号
【特許文献２】登録実用新案第３１２７７２６号
【考案の概要】
【考案が解決しようとする課題】
【０００５】
本考案は、竹や木製の耳かき具において、柄で外圧を和らげるダンパー機能や、竹材、または、木材の風合や従来の耳かき具と同じ様な機能、そして、使用感を備えると共に、従来より扱いやすく、便利なデザイン性に優れた耳かき具を提供しようとするものである。
【課題を解決するための手段】
【０００６】
上記課題を解決するために、本考案に係る耳かき具の一例は、耳穴を掃除する耳かき具において、竹材、または、木材を素材とし、掻き部と首部と弾性部と柄部が連続して連なり形成しする耳掻き部を備え、前記耳掻き部の前記弾性部を板状とし、前記弾性部の板厚を２．２ｍｍ以下とした。また、弾性部から掻き部先端までの長さを、５０ｍｍ以上とし、
竹材又は木材を含浸材で含浸した耳かき具である。
【考案の効果】
【０００７】
本考案によれば、従来からの耳かき具の特性を生かしながら、使い心地が良いと共に、より安全で、デザイン性に優れた耳かき具を提供することが可能となる、また、高齢化によるお年寄りの使用に対応する事が出来る。
【図面の簡単な説明】
【０００８】
【図１】本考案の実施例の平面図と側面図である。
【図２】本考案の他実施例の平面図である。
【図３】本考案の他実施例の平面図と側面図である。
【図４】従来と本考案の耳かき具の曲がり量を表現した図である。
【考案を実施するための形態】
【０００９】
本考案の実施の形態について、以下、図に基づいて説明する。
【００１０】
図１は、本考案の実施例の平面図と側面図を示し、耳かき具１は竹材、または木材（ここでは竹材で解説）で掻き部２と首部３と弾性部４と柄部５が連続的に連なり、耳掻き部１０を構成したものを示す。
弾性部４は竹材の弾力を利用する為に、板状とし、板厚を２．２ｍｍ以下（例えば板厚１．６ｍｍ、横幅２，３ｍｍ）とし、弾力部の長Ｌを５０ｍｍ以上（例えば６０ｍｍ）としている。これにより耳掻き時の外耳を掻く際の外力を吸収するダンパーの役割を有効とする。
また、各部分の断面図を示し、掻き部２の断面７ａは略板状の平板で図中の横に丸みを持たせている。首部３の断面７ｂは略四角に近い長方形を示し、弾性部４の断面７ｃは、長方形、柄部５の断面７ｄは円形を示す。
弾性部４の断面は板状のために、外力による曲がり方向が平面と垂直方向に制限され、本図では、掻き部２の先端方向と、その裏手方向に曲がりやすくなる。これにより、耳掻き時の掻き部２先端方向が認識しやすくなる。このため、先端で掻く作業がしやすくなるとともに、掻き部２の先端の両サイドで掻く操作は弾力部が横に曲がりにくく弾力による逃げが少なくなり、掻きやすくなる。掻き部２の先端の両サイドで掻く操作は、先端部で掻く際の掻き部２が外耳表面に当たるライン（一部面）の長さに対し、掻き部２の横の外耳表面に当たるライン（一部面）が比較的長いために、外力が集中せず分散される結果となる。このため掻き部の横で掻く際に曲がる量が少なくても、外耳表面を痛めにくく、効率的に掻きやすい。
【００１１】
図４には、従来の耳かき具と本考案の耳かき具の掻き部２と弾性部４の図１での図中の上部から見た図を示し、掻き部２に同一の負荷を掛けた場合の弾性部４に起こる曲がり量の概念図を示したものであり、矢印の曲がり量の矢印の方向で方向を、矢印の長さで曲がり量を示したものである。（ａ）は従来の弾性部が円形の断面のものを示し、各方向に対し曲がり量は一定であり、曲がり量は中程度の量で有ることを示す。すなわち、各方向の弾性力は軸形に応じて程々（中ぐらい）の量が平均的に得られる事を示す。（ｂ）は本考案の弾性部４が平板状の一例を示す。曲がり量の矢印が示すように図中で上下方向に曲がり量が大きくなり、左右方向には殆ど曲がり量が無い事を示す。（ｃ）は本考案の弾性部４が略五角形とした場合の例を示す。図中で、上方向には、曲がり量が大きいが、下方に対しては、両側に斜め方向にやや大きい曲がり量が発生する。ここでは、弾性部に付いてのみ記載しているが、首部３においても同じ様な傾向が見られる。このように、掻き部２先端で掻く場合に、弾性部４の形状により曲がる量が影響されると共に、目的の方向へ力を逃がす事が出来る。本来耳かき具での掻き操作は、掻き部先端で掻くのが主であることから、これらの弾性方向や曲がり量は、使用者にとって先端方向が明確になる、板バネの様に物理的に弾性が得やすいなど有効である。
掻き部２の曲がり、首部３、弾性部４を組み合わせる事により複雑な方向への曲がり、及び、曲がり量が発生する。しかし、基本的には図４での動きが主になると考え事が出来る。
耳かき時の外耳表面（皮膚）を痛める加重の量は、個人差が多いと共に先端の仕上げ状態なども影響し適正値は難しい。また、竹材や乾燥などの状態によっても、弾力が異なる。
【００１２】
この例では、弾性部の長Ｌ（６０ｍｍ）と、板厚（１．６ｍｍ）、幅（２．２ｍｍ）から、図１の矢印で示す先端方向に加重を掛けた場合に、５０ｇで約３ｍｍ可動する範囲が確保された。この値は竹材や仕上げにより差異が有るものの、外耳に傷を付けない配慮として必要な量と考えられる。
以下、上記説明と同じ部分は省略する。
【００１３】
図２は、本考案の他の実施例の平面図と側面図を示し、耳かき具１ａの弾性部４、及び柄部５は平板状とし、平板状の柄部５の両側に被覆材Ｈを設けたものを示す。また、両側の被覆材４ｅは、貫通穴ｈによって接続されている状態を示す。被覆の方法は、例えば、耳掻き部１０ａを形成後、柄部３にインジェクション成形によるインサート成形する。また、シリコンゴムなどをコンプレッション成形しても良い。ここで、貫通穴を用いずとも、柄部に被覆材Ｈ（例えば黒檀などの木材や、アクリル製の板）を接着してもよい。また、被覆材Ｈをそれぞれを柄部１０ａに勘合させて留めても良い。これによりデザイン性に優れた耳かき具となる。
また、各部分の断面図を示し、掻き部２の断面８ａは略板状の平板で図中の横に丸みを持たせている。首部３の断面８ｂは略５角形を示し、弾性部４の断面８ｃは、長方形、柄部５の断面８ｄ、８ｅは弾性部４と同じ厚さの長方形を示す。
【００１４】
図３は、本考案の他の実施例の断面図を示し、（ａ）は耳掻き部１０ｂを示し、（ｂ）は、耳掻き部１０ｂを用いた耳かき具１ｂを示す。耳かき具１ｂは支持台６ａに耳掻き部１０ｂが固定部Ｃにより接着固定され、支持台６ａと共に収納ケース６の内部にスライド可能に取り付けられたものを示す。さらに、収納ケース６の開口部側を塞ぐキャップ６ｂが使用され、キャップ６ｂの動きと共に、支持台６ａがスライド溝Ｓ内に設けた留めピンＰがスライドし収納ケース６の開口部から支持台の一部と共に耳掻き部１０ｂが出没するものである。キャップ６ｂにより、汚れが入らず、破損の防止が出来ると共に、衛生的になる。また、収納ケース６やキャップ６ｂをアルミニューム製とする事で、表面にアルマイトの発色や、模様を描く、印刷を施すなどによりデザイン性に優れた耳かき具となる。
また、各部分の断面図を示し、掻き部２の断面９ａは略板状の平板で図中の横に丸みを持たせている。首部３の断面９ｂは略四角形を示し、弾性部４の断面９ｃは、長方形、柄部５ｂの断面９ｅは弾性部４と同じ厚さの長方形を示す。
【００１５】
さらに、耳掻き部の素材に対する含浸について説明する。竹や木材に対し含浸を行うことにより、含浸剤が柔細胞や維管束鞘内の導管、師管の空洞を含浸剤で埋めることにより、掻き部の先端付近をなめらかに加工仕上げることができる。
例えば、竹材にエポキシ樹脂剤を真空含浸処理することにより、竹材の柔細胞や、維管束鞘の空洞である導管や師管部にエポキシ樹脂が含浸され、ほぼ均一な強度の素材とすることができる。これにより、特に掻き部先端付近の硬度の違いから、切削加工時に発生する加工深度による凸凹や、使用時に発生する凸凹の発生を防止することができるものである。含浸方法は、真空含浸が最良であるが減圧含浸、加圧含浸でも良い。
含浸を行っても維管束鞘は、模様として残り、従来の竹製の風合いが反映される。また、含浸する事により、乾燥の浅い、または、乾燥年月の経っていない竹材でも、柔細胞部の色合いが濃くなり例えば、すすだけの風合いを出すことや、含浸剤に色（例えば鮮やかなピンクや青、緑色）を加えることにより、今までにない新たなデザイン性を向上する事が出来る。
【００１６】
また、竹材の乾燥を長期間行わずとも、含浸することにより強度を上げる事が出来るため、生産性が向上する。乾燥後の維管束鍔はセルロース繊維のため含浸剤の浸透は少ない。
また、前記で記載したの含浸処理は、含浸を先に行い形成しても、竹材を曲げ加工した後に含浸を行ってもよく、仕上げ前に含浸を行うことにより浸透性向上や、含浸材や部材のムダ減らすことを可能になる。
上記記載では竹製を前提にしているが、木製においても導管や師管が同じ様に存在しするので同じ事とし説明を割愛する。また、一般に木製は黒檀の様に硬度の高い素材を除き折れやすい為、竹と同じ様に繊維に沿って形成するのが望ましい。また、その際に全体を含浸する事により硬度を増すことが出来るので有効である。
【００１７】
含浸剤として、エポキシ、アクリル、ポリフェノール系樹脂などの硬質系が適切で、他に、ポリエチレン、ポリウレタン、シリコーン系樹脂や、複合剤を利用しても良い。
また、セラミックスゾル、またはセラミックスゾルと金属塩水溶液の混合液を、減圧下で木材の空隙中に強制注入して硬化させる方法や、ガラス成分を含浸させる方法や、トロポロン類を含浸させる方法がある。これらは、それぞれの利点と欠点に応じて利用しても良い。また、含浸を行う事により、水分の吸収性を押さえる事が出来るために衛生的な上に、水洗いなどや、アルコール消毒が容易となり衛生的となる。また、トロポロン類などにより殺菌性を向上させる事も出来る。さらに、ささくれや、ひび割れ、変形を押さえる事が出来る。
また、竹材により形成された耳かき具の先端に、同様の含浸材などを塗布しても良い。
【００１８】
以上、本考案の実施形態例を説明した。本考案は、これらに制限されることなく、その技術的思想の範囲内でさらに様々な変形が可能であり、それらは全て本考案に含まれる。
【符号の説明】
【００１９】
１・１ａ・１ｂ：耳かき具、２：掻き部、３：首部、４：弾性部、５：柄部、６：収納ケース、６ａ支持台、６ｂ：キャップ、７ａ・７ｂ・７ｃ・７ｄ・７ｅ：断面、８ａ・８ｂ・８ｃ・８ｄ・８ｅ：断面図、９ａ・９ｂ・９ｃ・９ｄ・９ｅ、１０・１０ａ・１０ｂ：耳掻き部、Ｃ：固定部、Ｌ：弾力部の長、Ｈ：被覆材、ｈ：貫通穴、Ｓ：スライド溝、Ｐ：留めピン
【図１】
0003179870.tif 000003
【図２】
0003179870.tif 000004
【図３】
0003179870.tif 000005
【図４】
0003179870.tif 000006